【手続補正書】
【提出日】平成18年8月4日(2006.8.4)
【手続補正１】
【補正対象書類名】明細書
【補正対象項目名】特許請求の範囲
【補正方法】変更
【補正の内容】
【特許請求の範囲】
【請求項１】  筒状に形成された受液器本体と、この受液器本体の開口部から挿入され、基端面を開口部側に向けて開口部を閉塞する栓体とを具備する受液器において、
上記受液器本体の内周面は、該受液器本体の基準内周面と、該基準内周面より開口部側が拡径された拡径内周面とを有し、
上記栓体は、先端部が基準径部、基端部が拡径部とされ、基準径部は上記基準内周面に嵌合すると共に、拡径部は上記拡径内周面に嵌合し、
上記栓体の上記基準径部と上記受液器本体の上記基準内周面との間に第１のシール部材を介在すると共に、この第１のシール部材より開口部側における栓体と受液器本体の内周面との間に第２のシール部材を介在してなることを特徴とする受液器。
【請求項２】  筒状に形成された受液器本体と、この受液器本体の開口部から挿入され、基端面を開口部側に向けて開口部を閉塞する栓体とを具備する受液器において、
上記受液器本体の内周面は、該受液器本体の基準内周面と、該基準内周面より開口部側が拡径された拡径内周面とを有し、
上記栓体は、先端部が基準径部、基端部が拡径部とされ、基準径部は上記基準内周面に嵌合すると共に、拡径部は上記拡径内周面に嵌合し、
上記栓体の上記基準径部と上記受液器本体の上記基準内周面との間に第１のシール部材を介在すると共に、この第１のシール部材より開口部側における栓体の上記拡径部と受液器本体の上記拡径内周面との間に第２のシール部材を介在してなることを特徴とする受液器。
【請求項３】  請求項１又は２記載の受液器において、
上記受液器本体の拡径内周面における栓体の基端面に対応する位置に、環状の周溝を設け、
上記周溝内に、上記栓体の抜け止め用の止め輪を配設してなることを特徴とする受液器。
【請求項４】  筒状に形成された受液器本体と、この受液器本体の開口部から挿入され、基端面を開口部側に向けて開口部を閉塞する栓体とを具備する受液器において、
上記栓体の先端部と上記受液器本体の内周面との間に第１のシール部材を介在し、
上記受液器本体の内周面における上記栓体の基端面に対応する位置に、環状の周溝を設け、
上記周溝内に、上記栓体の抜け止め用の止め輪を配設すると共に、この止め輪と栓体の基端面との間に第２のシール部材を介在してなることを特徴とする受液器。
【請求項５】  筒状に形成された受液器本体と、この受液器本体の開口部から挿入され、基端面を開口部側に向けて開口部を閉塞する栓体とを具備する受液器において、
上記受液器本体の内周面は、該受液器本体の基準内周面と、該基準内周面より開口部側が拡径された拡径内周面とを有し、
上記栓体は、先端部が基準径部、基端部が拡径部とされ、基準径部は上記基準内周面に嵌合すると共に、拡径部は上記拡径内周面に嵌合し、
上記栓体の上記基準径部と上記受液器本体の上記基準内周面との間に第１のシール部材を介在し、
上記受液器本体の上記拡径内周面における上記栓体の基端面に対応する位置に、環状の周溝を設け、
上記周溝内に、上記栓体の抜け止め用の止め輪を配設すると共に、この止め輪と栓体の基端面との間に第２のシール部材を介在してなることを特徴とする受液器。
【請求項６】  請求項４又は５記載の受液器において、
上記第２のシール部材が、ドーナツ状シール部材であることを特徴とする受液器。
【請求項７】  請求項４又は５記載の受液器において、
上記第２のシール部材が、円板状シール部材であることを特徴とする受液器。
【手続補正２】
【補正対象書類名】明細書
【補正対象項目名】００１３
【補正方法】変更
【補正の内容】
【００１３】
【課題を解決するための手段】
上記課題を解決するために、請求項１記載の発明は、筒状に形成された受液器本体と、この受液器本体の開口部から挿入され、基端面を開口部側に向けて開口部を閉塞する栓体とを具備する受液器において、  上記受液器本体の内周面は、該受液器本体の基準内周面と、該基準内周面より開口部側が拡径された拡径内周面とを有し、  上記栓体は、先端部が基準径部、基端部が拡径部とされ、基準径部は上記基準内周面に嵌合すると共に、拡径部は上記拡径内周面に嵌合し、  上記栓体の上記基準径部と上記受液器本体の上記基準内周面との間に第１のシール部材を介在すると共に、この第１のシール部材より開口部側における栓体と受液器本体の内周面との間に第２のシール部材を介在してなることを特徴とする。
請求項２記載の発明は、筒状に形成された受液器本体と、この受液器本体の開口部から挿入され、基端面を開口部側に向けて開口部を閉塞する栓体とを具備する受液器において、  上記受液器本体の内周面は、該受液器本体の基準内周面と、該基準内周面より開口部側が拡径された拡径内周面とを有し、  上記栓体は、先端部が基準径部、基端部が拡径部とされ、基準径部は上記基準内周面に嵌合すると共に、拡径部は上記拡径内周面に嵌合し、  上記栓体の上記基準径部と上記受液器本体の上記基準内周面との間に第１のシール部材を介在すると共に、この第１のシール部材より開口部側における栓体の上記拡径部と受液器本体の上記拡径内周面との間に第２のシール部材を介在してなることを特徴とする。
この場合、上記受液器本体の拡径内周面における栓体の基端面に対応する位置に、環状の周溝を設け、上記周溝内に、上記栓体の抜け止め用の止め輪を配設する方が好ましい（請求項３）。
【手続補正３】
【補正対象書類名】明細書
【補正対象項目名】００１４
【補正方法】変更
【補正の内容】
【００１４】
請求項１，２記載の発明によれば、栓体の先端部と受液器本体の内周面との間に第１のシール部材を介在すると共に、この第１のシール部材より開口部側における栓体と受液器本体の内周面との間に第２のシール部材を介在するので、第１のシール部材によって熱媒体が栓体と受液器本体との間から外部に漏れるのを防止し、第２のシール部材によって腐食性液等が受液器本体内に侵入するのを防止することができる。また、万一、熱媒体が第１のシール部材を通過したとしても第２のシール部材にて外部への漏れを防止することができる。また、万一、腐食性液等が第２のシール部材を通過したとしても第１のシール部材にて内部への侵入を阻止することができる。したがって、熱媒体の外部への漏れ、及び腐食性液等の内部への侵入を確実に防止することができるので、受液器の寿命の増大及び熱交換性能の向上を図ることができる。
【手続補正４】
【補正対象書類名】明細書
【補正対象項目名】００１５
【補正方法】変更
【補正の内容】
【００１５】
請求項４記載の発明は、筒状に形成された受液器本体と、この受液器本体の開口部から挿入され、基端面を開口部側に向けて開口部を閉塞する栓体とを具備する受液器において、  上記栓体の先端部と上記受液器本体の内周面との間に第１のシール部材を介在し、  上記受液器本体の内周面における上記栓体の基端面に対応する位置に、環状の周溝を設け、  上記周溝内に、上記栓体の抜け止め用の止め輪を配設すると共に、この止め輪と栓体の基端面との間に第２のシール部材を介在してなることを特徴とする。
請求項５記載の発明は、筒状に形成された受液器本体と、この受液器本体の開口部から挿入され、基端面を開口部側に向けて開口部を閉塞する栓体とを具備する受液器において、  上記受液器本体の内周面は、該受液器本体の基準内周面と、該基準内周面より開口部側が拡径された拡径内周面とを有し、  上記栓体は、先端部が基準径部、基端部が拡径部とされ、基準径部は上記基準内周面に嵌合すると共に、拡径部は上記拡径内周面に嵌合し、  上記栓体の上記基準径部と上記受液器本体の上記基準内周面との間に第１のシール部材を介在し、  上記受液器本体の上記拡径内周面における上記栓体の基端面に対応する位置に、環状の周溝を設け、  上記周溝内に、上記栓体の抜け止め用の止め輪を配設すると共に、この止め輪と栓体の基端面との間に第２のシール部材を介在してなることを特徴とする。
この場合、第２のシール部材は、止め輪と栓体の基端面との間に介在されるものであれば、ドーナツ状シール部材であってもよく（請求項６）、あるいは、円板状シール部材であってもよい（請求項７）。
【手続補正５】
【補正対象書類名】明細書
【補正対象項目名】００１６
【補正方法】変更
【補正の内容】
【００１６】
請求項４，５記載の発明によれば、請求項１，２記載の発明に加えてワンタッチで簡単に栓体を受液器本体に固定すると同時に、第２のシール部材を取り付けることができる。したがって、組立工数の低減を図ることができる。しかも、雄ねじや雌ねじ等を加工する必要がないので、加工費用の低減を図ることができる。よって、製造コストの低減を図ることができる。
【手続補正６】
【補正対象書類名】明細書
【補正対象項目名】００２７
【補正方法】変更
【補正の内容】
【００２７】
拡径内周面１１ｈは、図１に示すように、もともと第２基準内周面１１ｄであった部分をスピニング加工などの塑性加工により拡径したものであり、平行内周面１１ｇとテーパ内周面１１ｆとによって形成されている。第２基準内周面１１ｄとテーパ内周面１１ｆ、及びテーパ内周面１１ｆと平行内周面１１ｇは、滑らかな曲面を介して連続的に形成されている。
【手続補正７】
【補正対象書類名】明細書
【補正対象項目名】００５８
【補正方法】変更
【補正の内容】
【００５８】
◎その他の実施形態
上記各実施形態においては、拡径内周面１１ｈの形成のために円筒状の壁部全体を半径方向外側に膨出させるように構成したが、壁部の内面のみを拡径することによって拡径内周面１１ｈを形成するようにしてもよい。
【手続補正８】
【補正対象書類名】明細書
【補正対象項目名】００６１
【補正方法】変更
【補正の内容】
【００６１】
（１）請求項１，２記載の発明によれば、栓体の先端部と受液器本体の内周面との間に第１のシール部材を介在すると共に、この第１のシール部材より開口部側における栓体と受液器本体の内周面との間に第２のシール部材を介在するので、第１のシール部材によって熱媒体が栓体と受液器本体との間から外部に漏れるのを防止し、第２のシール部材によって腐食性液等が受液器本体内に侵入するのを防止することができる。また、万一、熱媒体が第１のシール部材を通過したとしても第２のシール部材にて外部への漏れを防止することができる。また、万一、腐食性液等が第２のシール部材を通過したとしても第１のシール部材にて内部への侵入を阻止することができる。したがって、熱媒体の外部への漏れ、及び腐食性液等の内部への侵入を確実に防止することができるので、受液器の寿命の増大及び熱交換性能の向上を図ることができる。
【手続補正９】
【補正対象書類名】明細書
【補正対象項目名】００６２
【補正方法】変更
【補正の内容】
【００６２】
（２）請求項４，５記載の発明によれば、上記（１）に加えてワンタッチで簡単に栓体を受液器本体に固定すると同時に、第２のシール部材を取り付けることができるので、組立工数の低減を図ることができる。しかも、雄ねじや雌ねじ等を加工する必要がないので、加工費用の低減を図ることができると共に、製造コストの低減を図ることができる。